(57)【要約】  本発明は、ダッシュボードアプリケーションを実行するデバイスを有する打錠機に関する。打錠機に記憶された情報は、このダッシュボードアプリケーションによって表示することができる。このダッシュボードアプリケーションは、当該ダッシュボードアプリケーションを実行するデバイス上で動作させることができるソフトウェア製品であり、このデバイスは、移動及び／又は固定通信デバイス及び／又はデータ処理デバイスを含む群から選択される。ダッシュボードアプリケーションを実行するデバイス及び打錠機は、打錠機とダッシュボードアプリケーションを実行するデバイスとの間で情報を交換することができる情報交換接続を形成する手段を備える。本発明は、打錠機を監視及び／又は制御するダッシュボードアプリケーションを実行する方法にも関する。【選択図】【特許請求の範囲】
【請求項１】
ダッシュボードアプリケーションを実行するデバイスを有する打錠機であって、
該打錠機に現在記憶されている情報は、前記ダッシュボードアプリケーションによって視覚化することができ、前記ダッシュボードアプリケーションは、移動及び／又は固定通信デバイス及び／又はデータ処理デバイスを含む群から選択される、前記ダッシュボードアプリケーションを実行するデバイス上で動作することができるソフトウェア製品であり、前記ダッシュボードアプリケーションを実行する前記デバイス及び該打錠機は、該打錠機と前記ダッシュボードアプリケーションを実行する前記デバイスとの間で前記情報を交換することができる情報交換接続をセットアップする手段を備える、
ことを特徴とする、打錠機。
【請求項２】
前記情報は、前記打錠機の動作データからなり、現在の実行時間、現在のプレス時間、最新データ、レシピデータ及び／又は効率データを含む群から選択される、
ことを特徴とする、請求項1に記載の打錠機。
【請求項３】
前記情報交換接続は、インターネット接続、QR技術、バーコード技術、近接場技術、ネットワーク対応プロトコル、LAN接続及び／又はWLAN接続を含む群から選択される、
ことを特徴とする、請求項1又は2に記載の打錠機。
【請求項４】
前記打錠機は、前記移動通信デバイス及び／又は前記固定通信デバイスのインフラストラクチャの使用を含む、
ことを特徴とする、請求項1〜3のいずれか1項に記載の打錠機。
【請求項５】
前記移動通信デバイス及び／又は前記データ処理デバイスは、移動電話機、スマートフォン、タブレット、ラップトップ、ノートブック及び／又はPCを含む群から選択される、
ことを特徴とする、請求項1〜4のいずれか1項に記載の打錠機。
【請求項６】
前記ダッシュボードアプリケーションは、グラフィックユーザーインターフェース及び／又はメニューを備える、
ことを特徴とする、請求項1〜5のいずれか1項に記載の打錠機。
【請求項７】
ダッシュボードアプリケーションを実行する前記デバイス上で視覚化する前記情報は、ユーザーが選択することができる、
ことを特徴とする、請求項1〜6のいずれか1項に記載の打錠機。
【請求項８】
前記ダッシュボードアプリケーションは、前記打錠機、サーバー、クラウド内のデータベース及び／又はドロップボックスに現在記憶されている、
ことを特徴とする、請求項1〜7のいずれか1項に記載の打錠機。
【請求項９】
前記情報は、前記打錠機に製造実行システムフォーマットで現在記憶されている、
ことを特徴とする、請求項1〜8のいずれか1項に記載の打錠機。
【請求項１０】
打錠機を監視及び／又は制御するダッシュボードアプリケーションを実行する方法であって、以下のステップ、すなわち、
a）前記ダッシュボードアプリケーションが現在インストールされている、前記ダッシュボードアプリケーションを実行するデバイスを準備するステップと、
b）前記打錠機を準備するステップと、
c）前記打錠機についての情報を前記打錠機に記憶するステップと、
d）前記打錠機と前記ダッシュボードアプリケーションを実行する前記デバイスとの間に情報交換接続をセットアップするステップと、
e）前記打錠機についての情報を、前記ダッシュボードアプリケーションを実行する前記デバイスに転送するステップと、
f）前記ダッシュボードアプリケーションを用いて、前記打錠機についての前記情報を視覚化するステップと、
を含む、方法。
【請求項１１】
前記情報は、前記打錠機の動作データからなり、現在の実行時間、現在のプレス時間、最新データ、レシピデータ及び／又は効率データを含む群から選択される、
ことを特徴とする、請求項10に記載の方法。
【請求項１２】
前記打錠機についての前記情報の前記記憶は、製造実行システムフォーマットで行われる、
ことを特徴とする、請求項10又は11に記載の方法。
【請求項１３】
ユーザーの認証が、前記ダッシュボードアプリケーションを実行するために行われる、
ことを特徴とする、請求項10〜12のいずれか1項に記載の方法。
【請求項１４】
前記ダッシュボードアプリケーションを実行する前記デバイス上に、少なくとも2つのダッシュボードアプリケーションが現在インストールされており、第1のダッシュボードアプリケーションによって、第1の打錠機についての情報が視覚化され、第2のダッシュボードアプリケーションによって、第2の打錠機についての情報が視覚化される、
ことを特徴とする、請求項10〜13のいずれか1項に記載の方法。
【発明の詳細な説明】
【技術分野】
【０００１】
本発明は、ダッシュボードアプリケーションを実行するデバイスを有する打錠機に関する。本発明は、更に、打錠機を監視及び／又は制御するダッシュボードアプリケーションを実行する方法に関する。
【背景技術】
【０００２】
従来技術において、打錠機は既知のものであり、打錠機は、例えば、錠剤を製造する回転式プレス機を含み、回転式プレス機は、通常はローターを備える。このローターは、ローターのダイテーブルのダイ又はダイ孔においてともに動作する下側ポンチ及び上側ポンチのセットを備え、粉末状の出発材料は、これらのプレスポンチの間でプレスされて、ペレット、例えば錠剤を形成するようになっている。通常、プレスポンチの制御及び移動は、カムセグメント及びプレスロールによって行われる。ダイ又はダイ孔は、処理される粉末を用いて固定充填デバイスによって充填される。完成したペレットの放出は、上側ポンチが除去されているときに上方に移動する下側ポンチを用いて行われ、その結果、マトリックスダイテーブルの上側エッジの上方にある、結果として得られたペレットは、剥離デバイスによってローターエリアから除去される。
【０００３】
通常、ペレットの生産は、例えば、機械工場において、1つ以上の打錠機の適切な動作手順を同時に担当するユーザー又はオペレーターによって監督される。このユーザー又はオペレーターがより離れた距離からであっても又は生産現場に不在であっても、打錠機の動作手順を監視することができるようにすることが実用上必要とされていることが示されてきた。この場合、例えば、外部から打錠機の動作データを確実に精査することができることが望ましい。本発明の意味において、「打錠機」及び「錠剤機」という用語は、好ましくは同義語として用いられる。
【０００４】
近年、打錠機は、ますますネットワーク化されることが一般的になってきており、通常、2つの基本タイプのネットワーキングが用いられる。幾つかの打錠機は、例えば、所定のフォルダーにデータを記憶し、生成されたプロトコルをネットワークプリンターにおいて印刷するためにネットワークプリンターにアクセスするのに既存のITシステムのインフラストラクチャを用いる。他の打錠機は、生産計画システム（PPS）と製造実行システム（MES）との間のデータ交換を可能にする。
【０００５】
今日、プロセス上の理由から、複数のバッチによる錠剤の生産は依然として従来のままである。各プロセスステップが個別に進行し、生産された錠剤のサンプルが検査され、満足のいくものであることが分かったときにのみ、次のプロセスステップが開始される。まだ一般的ではないが、連続的な生産方法が今後導入されることが予見可能である。これを可能にするために、現代の打錠機には、通常、PCが設けられており、このPCによって、データを収集することができるとともに、プロセスを視覚化することができる。このために、従来技術では、打錠機の現在の動作状態を文書として記録するとともに動作への介入を可能にするために、ヒューマンマシンインターフェース（HMI）ディスプレイ又はオペレーティングコンソールが用いられる。
【０００６】
現在まで用いられてきたHMIディスプレイ又は従来のオペレーティングコンソールの不利点は、特に、打錠機の平均的なユーザーが有していないプログラミング知識を必要とする個々の変更要求にこれらのHMIディスプレイ又はオペレーティングコンソールを適応させることができるのは、資格を有する専門スタッフのみであるということである。加えて、現在までのところ、多くの従来の表示方法は、テキストラインを表示することしか可能ではなく、個々のラインは、多くの場合、特に空間を制約する方法で表示を実行することができるようにするために、非常に小さく保たれている。その結果、これまで一般的であるディスプレイデバイスを用いた従来の打錠機の使用は、特に中高年の従業員又は視覚障害のある従業員にとって非常に困難である。
【０００７】
従来の打錠機のもう1つの不利点は、設備の費用効果及び生産性に関する情報が、これまでオペレーターにとって優先事項ではなく、そのような情報は、仮に存在したとしても、現在までのところ、後の時点においてしか取得されていなかったということにある。しかしながら、この情報は、打錠機の最適な使用には有用であり、したがって、そのようなデータも同様に、明瞭かつ容易にアクセス可能な方法で精査することができるように表すことができることは望ましい。
【０００８】
また、従来の打錠機の場合、例えば打錠機の機能不良の場合のステータスメッセージのオンライン送信は、打錠機が生産計画システム又はMESシステムに接続されている場合にしか提供されない。別の不利点は、従来において打錠機を動作させている際に、通常、評価される唯一のデータは、現在の動作状況と、現在生産されている錠剤とについて関心のあるデータであるということである。
【発明の概要】
【発明が解決しようとする課題】
【０００９】
したがって、本発明の目的は、上記従来技術の不利点及び不備を有さず、打錠機のネットワーク化とは無関係に移動通信デバイス又はデータ処理デバイスから動作データを精査することができる打錠機を提供することにある。ここで、この精査は、信頼性があるとともに改ざんのおそれがない方法で、かつ、ユーザーにとって可能な限り柔軟に行われるべきである。
【課題を解決するための手段】
【００１０】
本発明によれば、上記目的は、ダッシュボードアプリケーションを実行するデバイスを有する打錠機によって達成され、該打錠機に現在記憶されている情報は、前記ダッシュボードアプリケーションによって視覚化することができ、前記ダッシュボードアプリケーションは、移動及び／又は固定通信デバイス及び／又はデータ処理デバイスを含む群から選択される、前記ダッシュボードアプリケーションを実行するデバイス上で動作することができるソフトウェア製品であり、前記ダッシュボードアプリケーションを実行する前記デバイス及び該打錠機は、該打錠機と前記ダッシュボードアプリケーションを実行する前記デバイスとの間で前記情報を交換することができる情報交換接続をセットアップする手段を備える。
【００１１】
本発明の意味において、「記憶されている／記憶された」という用語は、好ましくは打錠機に記憶されている対応するデータを、ダッシュボードアプリケーションによって取り出すことができることを意味するものと理解される。このために、打錠機は、例えば、データ記憶装置又はプロセッサ等のデータを記憶する手段又はデータを処理する手段を備えることが好ましい場合がある。データを打錠機において短時間の間でしか取り出すことができないこと、及び、データが、所定の時間間隔の満了後に、現在により近いデータを用いて上書きされることも好ましい場合がある。本発明の意味において、短時間の間でしか利用可能でないようなデータも、「記憶されている」とみなされるべきである。短時間の間に利用可能であるようなデータの視覚化された表現は、特に、その結果として、静的なデータだけでなく、時間の関数として変化する動的なパラメーターも、ダッシュボードアプリケーションを実行するデバイスによって表すことができるので、有利である。特に、このように、データ又はパラメーターの変化も表すことができる。当業者であれば、特に、データ及びパラメーターの変化が打錠機を動作させるのに特に重要であり、その結果、ダッシュボードアプリケーションの使用によって、これまでの従来の打錠機を用いて表示も表現もすることができなかったようなデータにアクセスすることも可能であることを知っている。試験は、打錠機に関するダッシュボードアプリケーションが、データ及び／又はパラメーターの驚くほど広範囲にわたる変化及び／又は予見することができない変化を、高速に、かつ、特に、打錠機のユーザーに直感的に理解可能な方法で表示することに特に適していることを示している。したがって、このユーザーは、これらの変化に迅速に反応することができる。
【００１２】
本発明の意味において、ダッシュボードアプリケーションは、好ましくは、情報を視覚化する手段を用いるソフトウェアプログラム製品である。本発明によるダッシュボードアプリケーションは、情報を、ユーザーが定義した方法において概要、グラフィックス、略図及び／又は他の編集形態で表すために、例えば、グラフィックユーザーインターフェースを備える。当業者であれば、例えば、打錠機の動作データに関する情報をどのように表すことができるのかを知っている。ダッシュボードアプリケーションを実行するデバイスは、ディスプレイ、ディスプレイテーブル、スクリーン及び／又はタッチスクリーンを含む群から選択されるディスプレイデバイスを備えることが好ましい。好ましくは、ダッシュボードアプリケーションを実行するそのようなデバイスは、ダッシュボードアプリケーションを実行することができるプロセッサも備える。ペレット製造プロセスの通常動作及び効果的な管理のために打錠機のユーザーにとって必要な情報は、ダッシュボードアプリケーションを実行するデバイスにディスプレイデバイスによって視覚化されることが好ましい。ダッシュボードアプリケーションの本質的な利点は、行う必要がある変更を、ソフトウェア及びプログラミングの知識がなくても行うことができるということにあり、特に、ソースコードの変更が必要でないことにある。そのような変更は、例えば、データの変更された選択、又は表現及び／又は視覚化の変更された方法からなることができる。
【００１３】
ダッシュボードアプリケーションを実行するデバイス及び打錠機は、各場合において、打錠機とダッシュボードアプリケーションとの間で情報を交換することができる情報交換接続をセットアップする手段を備える。したがって、打錠機のユーザー又はオペレーターは、打錠機に物理的に接近する必要なく、打錠機に納置又は記憶された情報に有利にアクセスすることができる。ダッシュボードによって、有利には、幾つかの打錠機を用いて1つのダッシュボード上に又は幾つかのダッシュボード上に別々に情報を同時に表すことができる。加えて、打錠機情報のアクセス可能性に起因して、例えば、ダッシュボードアプリケーションが機械工場における中央コンピューター上で動作し、例えば、幾つかの打錠機の情報が1つ以上のダッシュボードアプリケーションを用いて視覚化される場合、幾つかの打錠機を同時に監視することもできる。
【００１４】
本発明の意味において、幾つかの打錠機の情報の視覚化が1つのダッシュボードアプリケーションにおいて行われるようにダッシュボードアプリケーションを構成することが好ましい場合があり、これは、打錠機の更なる動作を事前により適切に計画し、この打錠機を監視することができるようにするために、情報が互いに比較される場合に特に有利である。本発明の意味において、打錠機ごとに個別のダッシュボードアプリケーションを用いることも好ましい場合がある。その結果、表現の明確さを、従来のHMIディスプレイ又はオペレーティングコンソールと比較して驚くほどにかなり改善することができ、対応するダッシュボードアプリケーションへの個々の打錠機の割り当ては簡略化される。
【００１５】
ダッシュボードアプリケーションのユーザーは、ダッシュボードアプリケーションを移動及び／又は固定通信デバイス又はデータ処理デバイスにインストールした後、ダッシュボードアプリケーションを自身の目的及び要件のために構成することが好ましい。すなわち、ユーザーは、打錠機の動作に適切で必要であると考える設定を行い、そのように考える情報を選択することが好ましい。本発明の意味における移動通信デバイスは、例えば、移動電話機、スマートフォン、パームデバイス及び／又はタブレットPCであるが、これらに限定されるものではない。本発明の意味における固定通信デバイスは、例えば、通信を目的したデバイスであり、好ましくは移動デバイスでないように設計されたデバイス、すなわち、本発明の意味において、ポータブルデバイス及び／又は可搬式デバイスでないように設計されたデバイスである。
【００１６】
本発明によるダッシュボードアプリケーションを用いると、ユーザーは、プログラミング作業を行う必要がないということは全く驚くべきことであった。より正確に言えば、対象となる情報がユーザーによって選択され、次いで、ディスプレイデバイス上に表示されることが好ましく、この選択は、例えば、マーキング、クリック及び／又はドラッグを行うことによって行うことができる。平均的なユーザーであれば、ディスプレイ、ディスプレイテーブル、スクリーン及び／又はタッチスクリーンを用いて情報を選択することができる方法を知っている。
【００１７】
有利には、ダッシュボードアプリケーションの使用は、移動通信デバイス及び／又はデータ処理デバイスのオペレーティングシステムとは無関係に行われる。その結果、ダッシュボードアプリケーションは、驚くべきことに、Apple（アップル）製品及びMac（マック）製品と、Android（アンドロイド）製品との双方において種々のバージョン及び装置タイプで動作することができるだけでなく、例えば、PC及び／又はノートブック上のオペレーティングシステムWindows及び／又はLinux商標ベースのオペレーティングシステムの下でも動作することができる。加えて、ダッシュボードアプリケーションは、ハードウェアプラットフォーム及び／又はソフトウェアプラットフォーム、例えば、種々のオペレーティングシステムを有するPC、スマートフォン、タブレット及び／又はラップトップの選択から完全に分離しており、無関係である。
【００１８】
ダッシュボードアプリケーションを実行するデバイスの驚くべき利点は、ユーザー自身が、このためのプログラミングの知識及び能力を有することなく、求められたデータを所望の表現フォーマットに適応させることができることである。その結果、打錠機及びダッシュボードアプリケーションの高いユーザー操作性が確保される。特に、ユーザー側のプログラミングの知識が上記のように必要とされないので、打錠機の利用及びダッシュボードの使用の抑制閾値はかなり低減される。
【００１９】
ダッシュボードアプリケーションを実行するデバイスの別の利点は、有利には、ソースコードを変更する必要がないことにある。これは、その結果として、データの妥当性を実証するために、各使用中に資格確認及び／又は有効性確認を繰り返す必要がないので、有利である。その結果、冗長な作業ステップが回避される。特に、これは、米国公衆衛生局の食品医薬品局（FDA）の要件の順守をかなり簡略化する。
【００２０】
本発明の別の好ましい実施の形態では、前記打錠機に現在記憶されている前記情報は、現在の動作時間、現在のプレス時間、最新データ、レシピデータ及び／又は効率データを含む群から選択される前記打錠機の動作データからなる。特に、これは、打錠機の動作に必要なデータ又は打錠機についての重要な情報をユーザーに利用可能にするデータである。ここで、このデータは、例えば、本発明による打錠機の予想される生産終了の時間及び／又はペレットが現在生産されている頻度を示すデータとすることができる。加えて、例えば、レシピデータ及び／又は効率データも、打錠機に記憶することができる。
【００２１】
これに関連して、特に、従来においては、個々の打錠機について、幾つかの異なるレシピデータセットを同時に記憶し、取り出し、及び／又は視覚化することができず、したがって、例えば、2つ以上のレシピデータセットを互いに比較することは、従来においては非常に扱いにくかった。有利には、本発明によるダッシュボードアプリケーションは、データの特に明瞭で容易に理解可能な表現を可能にする。さらに、従来では、従来の打錠機に関する費用効果及び／又は生産性に関するデータが表示されなかった。なぜならば、このデータは、導出されたパラメーターとして、打錠機のユーザーに所望の時点で利用可能でないことがより一層多いからである。試験は、打錠機に関してダッシュボードアプリケーションを実行するデバイスが、導出されたデータ及び／又はパラメーターと、非導出型のデータ及び／又はパラメーターとの双方を表示するのに特によく適していることを示している。
【００２２】
打錠機における種々の打錠機構成要素の正しい組み立てに関するデータを記憶することも好ましい。打錠機は、例えば、当該打錠機の各位置において、或る特定のペレットの製造用の正しい構成要素が当該構成要素の用途の位置に現在配置されている場合にのみ始動することができる。ここで、位置データ及び構成要素データの送信は、好ましくはトランスポンダーによって接触型方式及び／又は有線方式で行うことができる。例えば、打錠機の構成要素がラベル付けされた形態及び／又はコード化された形態で存在する場合に、このコードを、例えば、スマートフォンのカメラを用いて読み取ることができ、このようにして、組み込まれた部分を特定することができる。位置データ及び／又は構成要素データの視覚的表現が可能であることによって、打錠機の組み立てエラーの特に迅速な発見が可能になり、したがって、打錠機の望ましくない停止時間が短縮される。
【００２３】
打錠機に記憶された情報は、直接読み出し可能な値と導出された値との双方を含むことが好ましい。直接読み出し可能な値は、例えば、打錠機の現在の動作時間、打錠機の現在のプレス時間、付加的な現在のデータ及び／又はレシピデータである。これらは、追加の計算を伴わずに打錠機によって直接表示することができ、これらのパラメーターのダイナミクス、すなわち、これらのパラメーターの経時的な変化も、有利に表示することができる。その結果、ユーザーは、打錠機の動作についての価値のある情報を有利に受け取り、打錠機の使用を前もってより適切に計画して制御することができる。例えば、導出されたパラメーターは、例えば、生産されるペレットの既知の数から、又は打錠機を停止させる事前の理由を考慮に入れたバッチのロットサイズの開示によって計算することができる効率データである。
【００２４】
ダッシュボードアプリケーションを実行するデバイスの別の利点は、例えば、機能不良の場合に、打錠機の保守担当者が、特に迅速にかつ対象が指定された方式で通知を受けることができ、その結果、この保守担当者が、機能不良を修正するために、より正確な情報を打錠機のオペレーターに与えることができるということにある。その結果、有利には、機能不良によって引き起こされた打錠機のダウンタイムが短縮され、打錠機の平均的な生産性が、その使用可能な寿命にわたって向上する。
【００２５】
例えば、打錠機の達成された動作時間に基づいて、保守担当者は、打錠機に対して保守作業を行わなければならないか否か及び／又はいつ行わなければならないのかを推論することができることも可能である。加えて、本発明によるデバイスは、保守及び／又はクリーニング作業が行われる方法に関する特に迅速で広範囲にわたる情報も保守担当者に提供する。したがって、この作業をより適切に計画することができ、このことは、保守担当者にとって有利である。なぜならば、保守担当者は、打錠機の所与の生産ステータス及び動作状態に関する情報を特に簡単かつ安価な方法で取得することができるからである。この簡単さは、ダッシュボードアプリケーションを実行するデバイスが、例えば、多くの個人又は私的な世帯に利用可能であり、そのユーザーが一般に使用を好むタイプの移動通信デバイスとインタラクトすることから有利に確保される。その結果、ダッシュボードアプリケーションによって利用可能にされたデータとともに費やされる時間は、驚くべきことにユーザーによって知覚されず、それどころか、ユーザーは、この作業を、採算の取れる作業として快く行い、それによって、ダッシュボードアプリケーションによって利用可能にされたデータの特に頻繁な精査がもたらされ、その結果、打錠機の動作データの特に信頼できる監視が行われる。
【００２６】
特に好ましい実施の形態では、前記情報交換接続は、インターネット接続、QR技術、バーコード技術、近接場技術、ネットワーク対応プロトコル、LAN接続及び／又はWLAN接続を含む群から選択される。ダッシュボードアプリケーションを実行するデバイスによるアクセスは、IPアドレスを用いて行われ、その結果、打錠機は、動作データのデータソースとして利用可能であることが好ましい。IPアドレスの使用は、打錠機が（W）LANに統合されている場合に特に有利である。したがって、有利には、接続確立は、スマートフォン及び／又はタブレット等の移動通信デバイスに限定されるものではなく、それよりもむしろ、固定のPC、ノートブック及び／又はラップトップとの接続確立も可能である。本発明の意味において、打錠機は、好ましくは、データホットスポットと呼ぶことができる。これは、好ましくは、本発明の意味において、情報又は動作データが打錠機に現在記憶されており、種々の好ましい技術によってユーザーが取り出すことができることを意味する。
【００２７】
移動通信デバイス及び／又はデータ処理デバイスは、例えば、ウェブサーバー又はネットワーク変数を介して打錠機によって提供される動作データ及び／又は情報にアクセスすることが好ましく、この通信は、有利には、例えば、OPC及び今後の技術等のネットワーク対応プロトコルを介して行うこともできる。OPC統一アーキテクチャは、本発明の意味において、産業用のマシンツーマシン通信プロトコルを示す。この通信プロトコルは、有利には、マシンデータ（プロセス値、測定された値、パラメーター等）を搬送することが可能であるだけでなく、それらのデータを意味的にマシン可読形態に記述することも可能である。ここで、OPCに関して利用可能にされたサービスは、有利にプロトコル独立であり、OPC情報モデルは、好ましくは、メタ情報及び診断情報も有利に視覚化することができるノードから構成されたいわゆるフルメッシュネットワークを表す。本発明の意味において、ノードは、好ましくは、オブジェクト指向型プログラミングに由来するオブジェクトを示す。さらに、例えば、打錠機とダッシュボードアプリケーションを実行するデバイスとの間で或る特定の情報を交換するために、送信することができるイベントを定義することが好ましい。有利には、認証、認可、コード化及び／又はデータ完全性が署名によって行われる。
【００２８】
本発明の別の好ましい実施の形態では、前記打錠機は、前記移動通信デバイス及び／又は前記固定通信デバイスのインフラストラクチャの使用を含む。本発明の意味において、移動通信デバイス及び／又は固定通信デバイスのインフラストラクチャは、例えば、カメラ、マイクロフォン、ディスプレイ、入力デバイス、及び／又は電気接続及び／又はデータ接続の入力を備えるが、これらに限定されるものではない。その結果、本発明によるダッシュボードアプリケーションのユーザーは、高価な追加の機器及びモジュールを入手及び／又は使用することなく、移動通信デバイス及び／又は固定通信デバイスのインフラストラクチャを有利に用いることができる。その結果、ダッシュボードアプリケーションを実行するデバイスのハンドリングは、費用効果が高くユーザーフレンドリーな方法でかなり簡略化されて設計される。
【００２９】
本発明の別の好ましい実施の形態では、前記移動通信デバイス及び前記データ処理デバイスは、移動電話機、スマートフォン、タブレット、ノートブック、ラップトップ及び／又はPCを含む群から選択される。有利には、例えば、タブレット又はスマートフォン等の移動通信デバイス上だけでなく、例えば、ノートブック及び／又はPC上でもコンピューター支援を用いて動作することができるダッシュボードアプリケーションを提供することができる。したがって、本発明によるダッシュボードアプリケーションも、例えば、インターネットを介して打錠機に接続することができるスマートフォン上で動作することができ、その結果、有利には、打錠機の動作データへの外部アクセスが可能になる。
【００３０】
例えば、このように、1日の間在宅で作業する打錠機のユーザーは、例えば、必要な場合には、打錠機の動作データにアクセスし、現場のオペレーターとこのデータについてのビューを交換することができる。その結果、最新の作業時間モデルが可能になり、これは、例えば若年層の親に加えて、例えば親族の世話をしている中高年の従業員にもかなり役立つ。
【００３１】
一方、ダッシュボードアプリケーションは、例えば、幾つかの打錠機が配置されている生産工場においてセットアップされた固定のPC上でも全く同様に動作することができ、このPCから、幾つかのマシンのダッシュボードアプリケーションを同時に又は連続的に精査することができる。したがって、ダッシュボードアプリケーションの使用によって、広範囲の用途及び使用分野が利用可能になり、打錠機の動作データの柔軟なハンドリングが可能になる。打錠機に関してダッシュボードアプリケーションを用いることの別の利点は、既存のITインフラストラクチャのかなり改善された利用が達成され、その結果、この分野における調達コストを大幅に削減することができることにある。
【００３２】
幾つかのアプリケーションの場合、打錠機のオペレーターは、例えば、機能不良の場合に、従来技術から知られている従来の打錠機を用いたこれまでのものよりも効果的かつ適切に対象が指定された対応策を提供するために、ダッシュボードアプリケーションによって特に簡単かつ高速な方法でエラーを特定することができることが好ましい場合がある。特に、オペレーターは、写真、ビデオ及びオーディオの記録に利用可能な又は提供されたスマートフォンのインフラストラクチャ、例えば、カメラ及び／又はマイクロフォン、又は、例えば、機能不良になっている構成要素を任意選択でマーキングするコードの読み出しに利用可能な又は提供されたスマートフォンのインフラストラクチャを用いることができる。その結果、サービス専門家は、現場における打錠機の状況のより良い理解を得る。その後、特に効果的にかつ短時間で問題を解決するために、特に対象が指定された命令をオペレーターに与えることができる。
【００３３】
別の好ましい実施の形態では、前記ダッシュボードアプリケーションは、グラフィックユーザーインターフェース及び／又はメニューを備える。一方のグラフィックユーザーインターフェースの使用によって、打錠機の操作の経験がほとんどないユーザー、例えば、トレーニング中の人への対処がなされる。グラフィックユーザーインターフェースの視覚化機能（possibilities）は、本質的に、ユーザーを打錠機の動作データ及び動作モードに精通させる動機をユーザーに与え、その結果、本発明によるダッシュボードアプリケーションは、打錠機のハンドリングへの導入を提供する教育及びトレーニングの目的に特に適していることが有利に示されている。技術的に精通しているユーザーの場合、グラフィックユーザーインターフェースの使用は、魅力的なツールも示す。なぜならば、このユーザーは、例えば、作業コンピューターと技術的設備との間のプログラミングインターフェースのためのグラフィックスベースのソフトウェア製品（例えば、Labview）からのそのようなグラフィック表現形態を認識するからである。ダッシュボードアプリケーションを用いると、種々のユーザーが、特に満足のいく方法で全領域に追従することができることは全く驚くべきことであった。
【００３４】
本発明の意味において、メニューは、好ましくは、ユーザーが、必要に応じて、ダッシュボードアプリケーションを用いた表示のために選択することができるテキスト指向の情報の表現を可能にする。グラフィックユーザーインターフェースは、例えば、データ及び／又はパラメーターの概要、グラフ、略図及び／又は編集形態及び表現形態を含む。
【００３５】
ダッシュボードアプリケーションの使用は、例えば打錠機の較正では、例えば、打錠機の構成に必要な情報を提供する1つ以上のメニューを利用可能にすることにある。本発明によるダッシュボードアプリケーションが打錠機を起動することに用いられる場合、ユーザーは、有利には、プログラミング作業を何ら行う必要はない。代わりに、好ましくは、ユーザーは、ソフトウェア製品としてのダッシュボードアプリケーションを移動通信デバイス及び／又はデータ処理デバイス上にダウンロードし、次いで、ユーザーベースの柔軟な方法で、ユーザーが打錠機を動作させるのに必要であるか又は望ましいと考える打錠機の情報及び／又は動作データを選択する。このデータは、その後、好ましくはグラフ、略図及び／又は概要の形態でスクリーン内にドラッグされる。有利には、これによって、高い多様性、簡略さ、及びユーザー操作性が確保される。打錠機に関してダッシュボードアプリケーションを用いるとき、特に、ダッシュボードアプリケーションが、固定されたシンタックスを有さず、したがって、個々のニーズに特に簡単に適応することができるということから、特別な利点が得られる。
【００３６】
従来の打錠機において用いられるような標準的なプログラミングと比較した本発明によるダッシュボードアプリケーションの利点は、このダッシュボードアプリケーションでは、ユーザー自身が、発見及び必要に応じてメニュー、グラフィックユーザーインターフェース及び／又はコンテンツ概要をセットアップ及び設計することができ、加えて、どのデータをどの概要及び／又はどのメニューに表示するのかを決定することができることにある。アプリケーション試験は、この割り当てに関する変更を特に簡単に行うことができ、それによって、打錠機の動作中の外部変化への柔軟な適応が保証されることを示している。その上、メニュー及び／又はコンテンツ概要へのデータの変更された割り当てに起因して、ソースコードを変更する必要はなく、その結果、特にこれを目的としたユーザー側のプログラミングの知識もプログラマーの雇用も必要ではない。これとは対照的に、従来技術において説明した標準的なプログラムの場合、コンテンツ及び／又はメニューは、表示されたデータと固定方式でリンクされ、その結果、コンテンツ及び／又はメニューは、コンテンツに関して所望のとおり変更することも、新たに割り当てることもできない。
【００３７】
別の好ましい実施の形態では、ダッシュボードアプリケーションを実行する前記デバイス上での視覚化のための前記情報は、ユーザーが選択することができる。これは、本発明の意味において、本発明による打錠機のユーザーが、例えば、打錠機を動作させるのに今後必要であると考える動作データと、ダッシュボードアプリケーションを実行するデバイスによっていずれが視覚化されるのかとを一度選択することを意味する。
【００３８】
本発明の意味において、この選択は、打錠機の起動前に一度行われることが好ましい。例えば同じ雇用主の錠剤製造プロセスを交替で管理する異なるユーザーが、ダッシュボードアプリケーションを実行するデバイス上での視覚化のための異なる動作データを選択することも全く同様に好ましい場合がある。なぜならば、例えば、それらのユーザーは、ペレット製造プロセスの監視において異なる主眼を有するからである。アプリケーション試験は、視覚化される情報及び動作データの個々の選択可能性によって、ダッシュボードアプリケーションの高い柔軟性及び驚くほど高い適応性が打錠機のユーザーにもたらされることを示している。
【００３９】
ダッシュボードアプリケーションの追加のアプリケーションの機能は、ダッシュボードを用いて視覚化されるデータが、好ましくは、計算されず、代わりに、打錠機及び／又はサーバーからダッシュボードアプリケーションに送信されることにある。当業者であれば、非常に多くの変数が打錠機のこのプロセスを制御及び／又は視覚化するのに必要とされることを知っている。ダッシュボードアプリケーションは、この変数群にアクセスすることが好ましく、この変数群は、例えば、従来の打錠機を用いた場合に、これまではユーザーに関連していなかった変数によって補足することができる。このデータは、例えば、効率計算の結果からなるか、又は、次のプロセスステップを行うことができるように、現在の生産条件下における打錠機が目標の生産量にいつ達したかの判断からなる。保守間隔又は保守目標を決定するのに必要とされる追加のデータは、例えば、従来においては、従来のHMIディスプレイ又はオペレーティングコンソールによって既に表示することができ、したがって、有利には、ダッシュボードアプリケーションによる視覚化にも利用可能である。例えば、オペレーターは、例えばギアオイルの交換がいつ必要であるのかを確認するためにこのデータにアクセスすることができる。
【００４０】
別の好ましい実施の形態では、前記ダッシュボードアプリケーションは、前記打錠機、サーバー、データベース、クラウド及び／又はドロップボックスに現在記憶されている。本発明の意味において、ダッシュボードアプリケーションは、本発明による打錠機の購入によって本発明によるダッシュボードアプリケーションへのアクセスの資格を有することになったユーザーにのみ利用可能であることが特に好ましい。例えば、上記購入によって、これらのユーザーは、ダッシュボードアプリケーションへのコード化されたアクセスを取得する。本発明の意味において、ダッシュボードアプリケーションは、ソフトウェア製品として、サーバー、データベース、クラウド及び／又はドロップボックスからダウンロードすることができること、又は、ダッシュボードアプリケーションは打錠機自体に存在することが好ましい。
【００４１】
本発明の特に好ましい実施の形態では、ダッシュボードアプリケーションによって表示されるデータは、打錠機に記憶されている。有利には、データベースが、例えば生産計画システム又はMEシステムに記憶されている場合、ダッシュボード技術の使用によって、個々の打錠機ではなく、上記データベースに集中してアクセスすることも可能になる。
【００４２】
本発明の別の好ましい実施の形態では、打錠機内の情報は、製造実行システム（MES）フォーマットで記憶される。データ処理及び収集は、MEシステムのサブセットを表すことが好ましい。有利には、そのようなMEシステムは、特に保守データの提供に有利であるHistorian（ヒストリアン）によって機能を精巧に作成する。
【００４３】
MESは、打錠機の全てのデータを入手するプロセス指向の動作レベルを有することが好ましい。この情報によって、製剤製品を生産するのに必要とされる種々のサブプロセスを特に簡単でユーザーフレンドリーな方法で同期させることと、驚くほど効率的な相乗効果を用いてそれらのサブプロセスを協調させることとが有利に可能である。下流側の活動のために、進行中のプロセスの間に、情報を更に処理することができることが好ましく、この情報は、例えば生産の停止又は遅延した完了等の、例えば打錠機イベントを表す。
【００４４】
ダッシュボードアプリケーションをMESに接続することによって達成することができる追加の本質的な目的は、打錠機を取り扱う認可を受けた者のための打錠機の規制（regulation）及び／又は解除（release）である。例えば、認可を受けた者にしか知られていない中央パスワードが発行されることが好ましい場合があり、これらの認可の発行は、中央で管理される。これらの認可は、例えば、オペレーター又はユーザーがアクセスする種々の打錠機及び種々の機能レベルについてのマシンオペレーター及び／又はユーザーの認可である。アプリケーション試験は、とりわけ、そのような認可の変更の入力を特に高速かつ容易に行うことができることを示している。そのような変更は、例えば、従業員の企業の退職又は変更された認可レベルへの昇進若しくは降格からもたらされる場合がある。ダッシュボードアプリケーションを実行するデバイスによって、特に、かなり高速なアクセスの禁止（barring）が可能になることが示されており、これは、好ましくは、全ての打錠機について中央サイトにおいて行うことができる。
【００４５】
さらに、ダッシュボードアプリケーションを実行するデバイスを後日の生産の計画に用いること、すなわち、生産を今後行う際に従うことになるレシピを提供することが好ましい。このために、MESは、レシピをもはや各打錠機上に個別に分離して記憶するのではなく、代わりに、例えば中央においてレシピを管理、試験及び／又は公開する機能を有利に提供する。各打錠機は、好ましくは、この具体的な打錠機について手続き的に公開されたそれらのレシピのみを用いて動作する。加えて、このダッシュボードアプリケーションを実行するデバイスをMESとともに用いると、プロセスチェーン、設備及び／又は工場の全体を制御することと、それらの動作を制御及び／又は最適化することとが可能であるという驚くべき利点が達成される。
【００４６】
追加の実施の形態では、本発明は、打錠機を監視及び／又は制御するダッシュボードアプリケーションを実行する方法であって、以下のステップ、すなわち、
a）前記ダッシュボードアプリケーションが現在インストールされている、前記ダッシュボードアプリケーションを実行するデバイスを準備するステップと、
b）前記打錠機を準備するステップと、
c）前記打錠機についての情報を前記打錠機に記憶するステップと、
d）前記打錠機と前記ダッシュボードアプリケーションを実行する前記デバイスとの間に情報交換接続をセットアップするステップと、
e）前記打錠機についての情報を、前記ダッシュボードアプリケーションを実行する前記デバイスに転送するステップと、
f）前記ダッシュボードアプリケーションを用いて、前記打錠機についての前記情報を視覚化するステップと、
を含む、方法に関する。
【００４７】
特に、ダッシュボードアプリケーションを実行するデバイスを有する本発明による打錠機について開示された技術的特徴は、本発明による方法にも当てはまる。当業者であれば、特に、ダッシュボードアプリケーションを実行するデバイスを有する打錠機の上記好ましい実施の形態の特徴が、本発明による方法の実施にも用いることができることを認識する。例えば、ダッシュボードアプリケーションを実行するデバイスを有する本発明による打錠機について、この打錠機は、好ましい実施の形態において、QR技術、バーコード技術、近接場技術、ネットワーク対応プロトコル、LAN接続及び／又はWLAN接続を含む群から選択された情報交換接続をセットアップする手段を備えることが開示されている。したがって、当業者であれば、本発明による方法においても、情報の転送が、好ましくはQR技術、バーコード技術、近接場技術、ネットワーク対応プロトコル、LAN接続及び／又はWLAN接続によって行われることを認識する。したがって、ダッシュボードアプリケーションを実行するデバイスを有する打錠機の上記好ましい実施の形態について開示された利点は、好ましくは、本発明による方法の対応する好ましい実施の形態にも当てはまる。したがって、この方法は、好ましくは、ダッシュボードアプリケーションを実行するデバイスを有する本発明による打錠機又はその好ましい実施の形態を用いる。
【００４８】
特に、本発明によるダッシュボードアプリケーションを用いる方法によって、打錠機についてのどの情報が表示されるのかを特に簡単な方法で選択することが有利に可能である。したがって、有利には、或る特定の情報を視覚化するためのダッシュボードアプリケーションの構成又は変更について、ソフトウェア又はプログラミングの知識は必要とされない。ダッシュボードアプリケーションの使用によって、この方法は、例えばハードコードされたソフトウェアアプリケーションを用いる方法とは対照的に、特に柔軟でユーザーフレンドリーである。
【００４９】
本発明の好ましい実施の形態では、前記方法は、前記情報が、前記打錠機の動作データからなり、現在の実行時間、現在のプレス時間、最新データ、レシピデータ及び／又は効率データを含む群から選択される、ことを特徴とする。この好ましいデータは、打錠機の動作を監視又は制御するのに特に有用である。
【００５０】
本発明の特に好ましい実施の形態では、前記方法は、前記打錠機についての前記情報の前記記憶が、製造実行システムフォーマットで行われる、ことを特徴とする。ダッシュボードアプリケーションを実行するデバイスを有する好ましい打錠機について説明したように、製造実行システムフォーマットは、錠剤製造プロセスについての情報及びパラメーターを記憶することと、これらの情報及びパラメーターを更なる処理のために提供することとに特に適している。その結果、ダッシュボードアプリケーションにおける打錠機についての現在の動作データの驚くほど高速な同期が可能である。これによって、進行中のプロセスの特に効果的な監視に加えて、進行中の製造プロセスの間におけるその適応も可能になる。
【００５１】
本発明の好ましい実施の形態では、前記方法は、前記ダッシュボードアプリケーションを実行するために、前記ユーザーの認証が行われる、ことを特徴とする。認証は、好ましくは、ユーザーが打錠機を監視及び／又は制御する認可を受けているか否かを確認するプロセスステップを示す。例えば、このために、ダッシュボードアプリケーションを開始する前に、デバイスにおいてパスワード問い合わせを行うことができる。ユーザーによって入力されたパスワードが、中央に記憶されている対応する打錠機のパスワードと一致した場合には、ダッシュボードアプリケーションが実行され、一致していない場合には、アクセスは拒否される。この認証によって、制限付き公開が行われ、それによって、ユーザーについて選択された公開データのみが視覚化されることも好ましい場合がある。本発明によるダッシュボードアプリケーションをユーザーの認証とリンクすることによって、錠剤機の動作プロセスの特に柔軟でセキュアな監視が可能になる。
【００５２】
本発明の好ましい実施の形態では、前記方法は、前記ダッシュボードアプリケーションを実行する前記デバイス上に、少なくとも2つのダッシュボードアプリケーションが現在インストールされており、第1のダッシュボードアプリケーションによって、第1の打錠機についての情報が視覚化され、第2のダッシュボードアプリケーションによって、第2の打錠機についての情報が表示される、ことを特徴とする。有利には、この方法のこの好ましい実施の形態では、ダッシュボードアプリケーションを実行する単一のデバイス、例えば、スマートフォンを用いて複数の打錠機を監視することが、特に効果的な方法で可能である。これは、製剤製品を製造する工場の監視及びプロセス最適化に対して特に有利な効果を有する。
【００５３】
本発明は、実施形態例及び以下の図を参照して更に詳細に説明される。
【図面の簡単な説明】
【００５４】
【図１】フロー図である。
【図２】データ選択を示す図である。
【発明を実施するための形態】
【００５５】
図1は、本発明の好ましい実施形態のフロー図を示している。この好ましい実施形態では、3つの打錠機1、2及び3を見て取ることができ、これらの打錠機は、LAN／WLAN及び／又はゲートウェイによって移動通信デバイスに接続されている。図示した本発明の好ましい実施形態では、移動通信デバイスは、3つのダッシュボードアプリケーション1、2及び3を備え、これらのダッシュボードアプリケーション上には、例えば、打錠機の異なるデータを表示することができる。この図における数箇所に示された数対の矢印は、各場合において異なる方向を指し示しているが、打錠機のうちの1つと移動通信デバイスとの間で行うことができるデータ交換をシンボル化することを意図したものである。異なる方向を指し示すこれらの矢印は、ここでは、特に、データが一方の方向及び他方の方向の双方に交換されることをシンボル化している。
【００５６】
例えば、図2は、データ選択を本発明の好ましい実施形態によってどのように行うことができるのかを示している。このデータは、特に、ダッシュボードアプリケーションによって視覚化することができるデータからなる。未確定の量のパラメーター1、2、．．．、xxxが表されており、各パラメーターは、ダッシュボードアプリケーションによって視覚化されるように個別に選択することができる。他のアプリケーションの場合、存在する全てのパラメーター1〜xxxのサブセットのみを選択し、それらを視覚化させることも好ましい。個々のパラメーターから、ダッシュボードという単語でマーキングされた長方形の異なるエリアを指し示す矢印は、ダッシュボードアプリケーションのメニュー内又はコンテンツ概要内の異なる箇所において各パラメーターを視覚化することができることを示しており、そのようなコンテンツ概要及び／又はメニューの設計は、ダッシュボードアプリケーションを用いることで驚くほど簡単に行うことができる。
【００５７】
本発明を実施して本発明による解決策に達するために、本発明の説明した実施形態の種々の代替形態を用いることができることを指摘しておく。したがって、ダッシュボードアプリケーションを実行するデバイスを有する本発明による打錠機又は本発明による方法は、設計に関して、上記好ましい実施形態に限定されるものではない。それよりも、示した解決策から離れる可能性がある複数の設計の変形形態を想定することができる。特許請求の範囲の目的は、本発明の保護の範囲を画定することである。本発明の保護範囲は、ダッシュボードアプリケーションを実行するデバイスを有する本発明による打錠機又は本発明による方法だけでなく、それらの均等な実施形態をも包含することを意図している。
【図１】
2018519161.tif 000002
【図２】
2018519161.tif 000003
【手続補正書】
【提出日】平成28年10月4日(2016.10.4)
【手続補正１】
【補正対象書類名】特許請求の範囲
【補正対象項目名】全文
【補正方法】変更
【補正の内容】
【特許請求の範囲】
【請求項１】
ダッシュボードアプリケーションを実行するデバイスを有する打錠機であって、
該打錠機に存在記憶されている情報は、前記ダッシュボードアプリケーションによって視覚化することができ、前記ダッシュボードアプリケーションは、移動及び／又は固定通信デバイス及び／又はデータ処理デバイスを含む群から選択される、前記ダッシュボードアプリケーションを実行するデバイス上で動作することができるソフトウェア製品であり、前記ダッシュボードアプリケーションを実行する前記デバイス及び該打錠機は、該打錠機と前記ダッシュボードアプリケーションを実行する前記デバイスとの間で前記情報を交換することができる情報交換接続をセットアップする手段を備え、ここで前記ダッシュボードアプリケーションは、前記打錠機、サーバー、クラウド内のデータベース及び／又はドロップボックスに存在記憶されている、ことを特徴とする、打錠機。
【請求項２】
前記情報は、前記打錠機の動作データからなり、現在の実行時間、現在のプレス時間、最新データ、レシピデータ及び／又は効率データを含む群から選択される、
ことを特徴とする、請求項1に記載の打錠機。
【請求項３】
前記情報交換接続は、インターネット接続、QR技術、バーコード技術、近接場技術、ネットワーク対応プロトコル、LAN接続及び／又はWLAN接続を含む群から選択される、
ことを特徴とする、請求項1又は2に記載の打錠機。
【請求項４】
前記打錠機は、前記移動通信デバイス及び／又は前記固定通信デバイスのインフラストラクチャの使用を含む、
ことを特徴とする、請求項1〜3のいずれか1項に記載の打錠機。
【請求項５】
前記移動通信デバイス及び／又は前記データ処理デバイスは、移動電話機、スマートフォン、タブレット、ラップトップ、ノートブック及び／又はPCを含む群から選択される、
ことを特徴とする、請求項1〜4のいずれか1項に記載の打錠機。
【請求項６】
前記ダッシュボードアプリケーションは、グラフィックユーザーインターフェース及び／又はメニューを備える、
ことを特徴とする、請求項1〜5のいずれか1項に記載の打錠機。
【請求項７】
ダッシュボードアプリケーションを実行する前記デバイス上で視覚化する前記情報は、ユーザーが選択することができる、
ことを特徴とする、請求項1〜6のいずれか1項に記載の打錠機。
【請求項８】
前記情報は、前記打錠機に製造実行システムフォーマットで存在記憶されている、
ことを特徴とする、請求項1〜7のいずれか1項に記載の打錠機。
【請求項９】
打錠機を監視及び／又は制御するダッシュボードアプリケーションを実行する方法であって、以下のステップ、すなわち、
a）前記ダッシュボードアプリケーションが現在インストールされている、前記ダッシュボードアプリケーションを実行するデバイスを準備するステップと、
b）前記打錠機を準備するステップと、
c）前記打錠機についての情報を前記打錠機に記憶するステップと、
d）前記打錠機と前記ダッシュボードアプリケーションを実行する前記デバイスとの間に情報交換接続をセットアップするステップと、
e）前記打錠機についての情報を、前記ダッシュボードアプリケーションを実行する前記デバイスに転送するステップと、
f）前記ダッシュボードアプリケーションを用いて、前記打錠機についての前記情報を視覚化するステップと、
を含む、方法。
【請求項１０】
前記情報は、前記打錠機の動作データからなり、現在の実行時間、現在のプレス時間、最新データ、レシピデータ及び／又は効率データを含む群から選択される、
ことを特徴とする、請求項9に記載の方法。
【請求項１１】
前記打錠機についての前記情報の前記記憶は、製造実行システムフォーマットで行われる、
ことを特徴とする、請求項9又は10に記載の方法。
【請求項１２】
ユーザーの認証が、前記ダッシュボードアプリケーションを実行するために行われる、
ことを特徴とする、請求項9〜11のいずれか1項に記載の方法。
【請求項１３】
前記ダッシュボードアプリケーションを実行する前記デバイス上に、少なくとも2つのダッシュボードアプリケーションが存在インストールされており、第1のダッシュボードアプリケーションによって、第1の打錠機についての情報が視覚化され、第2のダッシュボードアプリケーションによって、第2の打錠機についての情報が視覚化される、
ことを特徴とする、請求項9〜12のいずれか1項に記載の方法。
【国際調査報告】
2018519161.tif 000004
2018519161.tif 000005
2018519161.tif 000006
2018519161.tif 000007
2018519161.tif 000008
2018519161.tif 000009